(57)【要約】【課題】本発明は、ＭＰ３プレーヤ等の製品がスピーカシステムに接続されることができるオーディオ装置を提供することを目的としている。【解決手段】音響再生装置と共に使用され、オーディオ装置を取外し可能に受けるリセプタを有し、その装置とオーディオ装置112 との間に機能的な接続を可能にするためにオーディオ装置の第２のコネクタ116 と電気接続する第１のコネクタ14を有し、さらに、音響再生装置の機能を制御する制御装置26と、電気パワーをオーディオ装置へ供給するための電気パワーコネクタ116 と、制御装置26とオーディオ装置112 との間に機能的な関係を設定するためにオーディオ装置112 と機能的に接続する機能的な接続とを備えている。【選択図】      図３
2004166272.tif 000002
【特許請求の範囲】
【請求項１】
音響再生装置と共に使用され、オーディオ装置を取外し可能に受けるリセプタを有する装置において、
前記装置とオーディオ装置との間に機能的な接続を可能にするためにオーディオ装置の第２のコネクタと電気接続するため装置上に第１のコネクタを有し、さらに、
（ａ）音響再生装置の機能を制御する制御装置と、
（ｂ）電気パワーをオーディオ装置へ供給するための電気パワーコネクタと、
（ｃ）制御装置とオーディオ装置との間に機能的な関係を設定するためにオーディオ装置と機能的に接続するための少なくとも１つの機能的接続とを含んでいる装置。
【請求項２】
音響再生装置は高声器であり、その機能は音量である請求項１記載の装置。
【請求項３】
高声器はサブウーハ、衛星スピーカシステムからなるグループから選択される請求項２記載の装置。
【請求項４】
増幅器が音響再生装置に組込まれている請求項２装置。
【請求項５】
制御装置は音響再生装置の音量制御である請求項１記載の装置。
【請求項６】
オーディオ装置を取外し可能に受けるリセプタは装置の凹部で構成されている請求項１記載の装置。
【請求項７】
前記凹部はそこにオーディオ装置を受けるような寸法および形状に構成されており、凹部は、オーディオ装置が凹部に機能的に結合され、第１のコネクタと第２のコネクタとが結合されるとき凹部のエッジを超えた長さにならない寸法に構成されている請求項６記載の装置。
【請求項８】
オーディオ装置はオーディオプレーヤモジュール、ＭＰ３プレーヤ、ＡＭ／ＦＭチューナ、無線ヘッドホン送信機、無線スピーカ送信機、無線スピーカ受信機、無線遠隔制御装置からなるグループから選択されている請求項１記載の装置。
【請求項９】
リセプタはそこにオーディオ装置を取外し可能に保持するために前記装置へ回動できるように取付けられている留め具を含んでいる請求項１記載の装置。
【請求項１０】
装置は音響再生装置の遠隔音量制御装置を含んでいる請求項１記載の装置。
【請求項１１】
遠隔音量制御装置はケーブルにより音響再生装置に接続されている請求項１０記載の装置。
【請求項１２】
ケーブルはシールドを有し、そのシールドはＡＭ／ＦＭチューナ用のアンテナである請求項１１記載の装置。
【請求項１３】
第１のコネクタと第２のコネクタはＵＳＢ接続とＩＥＥＥ１３９４接続からなるグループから選択された少なくとも１つを具備している請求項１記載の装置。
【請求項１４】
前記装置は音響再生装置に一体化されている請求項１記載の装置。
【請求項１５】
音響再生装置の遠隔制御装置において、遠隔制御装置はケーブルにより音響再生装置に接続されており、ケーブルは遠隔制御装置に取外し可能に取付けられるオーディオ装置のアンテナとしての役目を行うためにシールドを有し、オーディオ装置はオーディオプレーヤモジュール、ＭＰ３プレーヤ、ＡＭ／ＦＭチューナ、無線ヘッドホン送信機、無線スピーカ送信機、無線スピーカ受信機、および無線遠隔制御装置からなるグループから選択され、遠隔制御装置はオーディオ装置を取外し可能に受けるリセプタを有し、その装置上にはその装置とオーディオ装置との間の機能的な接続を可能にするためにオーディオ装置の第２のコネクタと電気接続するための第１のコネクタを有し、遠隔制御装置は音響再生装置の機能を制御する制御手段を含んでいる遠隔制御装置。
【請求項１６】
音響再生装置と共に使用され、オーディオ装置が取外し可能に取付けられることのできる装置において、
前記装置とオーディオ装置との間に機能的な接続を可能にするためオーディオ装置の第２のコネクタと電気接続するように前記装置上に設置されている第１のコネクタを有し、さらに、
（ａ）音響再生装置の機能を制御できる第１の制御装置と、
（ｂ）電気パワーをオーディオ装置へ供給するための電気パワーコネクタと、
（ｃ）第１の制御装置とオーディオ装置との間に機能的な関係を設定するためのオーディオ装置との少なくとも１つの機能的な接続とを含んでいる装置。
【発明の詳細な説明】
【技術分野】
【０００１】
本発明はオーディオ装置およびその改良に関し、特にそれに限定しないが取外し可能なオーディオ入力装置と接続できるオーディオ装置に関する。
【背景技術】
【０００２】
音響再生スピーカシステムは例えば音響カードを有するコンピュータのようなシステムおよびホームシアターシステムと共に使用するために開発されている。このようなスピーカシステムは通常低周波数の音響を再生するためのサブウーハを含んでおり、サブウーハは増幅器、通常は組込みの増幅器を有する。しばしば他のスピーカはサブウーハキャビネット上の接続を通して増幅器により駆動される。さらに“衛星”スピーカシステムが使用され、これは音量制御を有する。このような衛星システムは増幅器を有していても、有していなくてもよい。
【発明の開示】
【発明が解決しようとする課題】
【０００３】
さらに、最近、ＭＰ３プレーヤ、メモリモジュール、ＣＤプレーヤ等をはじめとするオーディオ再生のための多数の新しい商品が市場に存在する。その多くは２種類の機能を有する。全ては通常、ヘッドホンまたはその等価物と共に使用されることを目的とするか、例えばＵＳＢポートＩＥＥＥ１３９４接続等のような標準的な接続装置を使用してコンピュータに接続されることを意図している。これはユーザがコンピュータのキャビネット後部の接続点にアクセスしなければならないので、時によっては厄介である。また大部分のこのようなシステムは再生の音量を制御するためにスピーカキャビットまたはコンピュータ上の音量制御を使用する。これはユーザには不便である。
【０００４】
それ故、本発明の主な目的は、例えばＭＰ３プレーヤ等の製品がスピーカシステムに接続されることができるようにオーディオ装置を改良することである。
【課題を解決するための手段】
【０００５】
前述およびその他の目的を考慮して、本発明は音響再生装置と共に使用する装置を提供し、この装置はオーディオ装置を取外し可能に受ける手段を有し、その装置上に装置とオーディオ装置との間に機能的な接続を可能にするようにオーディオ装置の第２のコネクタと電気接続するため第１のコネクタを有し、装置は（ａ）音響再生装置の機能を制御する第１の制御手段と、（ｂ）電気パワーをオーディオ装置へ供給するための電気パワーコネクタと、（ｃ）第１の制御手段とオーディオ装置との間に機能的な関係を設定するためにオーディオ装置と機能的に接続するための少なくとも１つの機能接続とを含んでいる。
【０００６】
音響再生装置は高声器であってもよく、増幅器を具備してもしなくてもよく、高声器はサブウーハでもよい。制御される機能は音量である。増幅器は音響再生装置中に組込まれてもよい。
【０００７】
第１の制御手段は音響再生装置の音量制御であり、オーディオ装置を取外し可能に受ける手段は装置の凹部である。凹部はそこにオーディオ装置を受けるような寸法および形状に構成されており、凹部は、オーディオ装置が凹部に機能的に結合されて第１のコネクタと第２のコネクタとが結合されるとき凹部のエッジを超えた長さにならないような寸法にされている。
【０００８】
オーディオ装置はオーディオプレーヤモジュール、ＭＰ３プレーヤ、ＡＭ／ＦＭチューナ、無線ヘッドホン送信機、無線スピーカ送信機、無線スピーカ受信機、無線遠隔制御装置の１以上のものであり、これらの機能のうち１以上の装置を含んでいてもよい。
【０００９】
凹部はそこにオーディオ装置を取外し可能に保持するため装置へ回動自在に取付けられている留め具を含んでいる。
【００１０】
装置は音響再生装置の遠隔音量制御装置であり、ケーブルにより音響再生装置に接続されている。ケーブルはシールドを有し、シールドはＡＭ／ＦＭチューナ用アンテナである。
【００１１】
第１のコネクタおよび第２のコネクタはＵＳＢ接続またはＩＥＥＥ１３９４接続であってもよい。装置は音響再生装置に一体化されてもよく、分離されてもよい。
【００１２】
別の形態では、本発明は音響再生装置の遠隔制御装置を提供し、この遠隔制御装置はケーブルにより音響再生装置に接続されており、ケーブルは遠隔制御装置に取外し可能に取付けられるようにオーディオ装置のアンテナとしての役目を行うためシールドを有し、オーディオ装置はオーディオプレーヤモジュール、ＭＰ３プレーヤ、ＡＭ／ＦＭチューナ、無線ヘッドホン送信機、無線スピーカ送信機、無線スピーカ受信機、無線遠隔制御装置からなるグループから選択され、遠隔制御装置はオーディオ装置を取外し可能に取付ける手段を有し、その装置の上には装置とオーディオ装置との間の機能的な接続を可能にするためオーディオ装置の第２のコネクタと電気接続するための第１のコネクタを有し、遠隔制御装置は第２の再生装置の機能を制御する第１の制御手段を含んでいる。
【発明を実施するための最良の形態】
【００１３】
本発明が容易に理解され実施されるように、本発明の好ましい実施形態を添付図面を参照に説明するが、これは例示であって本発明を限定するものではない。  
説明全体を通して、同一のコンポーネントは同一の参照符号を有し、接頭番号の付与はその実施形態または特徴に関連していることを示している。例えば２は第２の特徴または第２の実施形態のものである。
【００１４】
最初に図１を参照すると、オーディオ装置12が機能的に取外し可能に取付けられることのできるＵＳＢポート14の形態のリセプタを有する遠隔音量制御装置10が示されている。音量制御装置10とオーディオ装置12との間のインターフェースは音量制御装置10に組み込まれているＵＳＢポート14の使用によって行われる。しかしながら、所望または必要ならば、例えばＩＥＥＥ１３９４等の任意の他の形態の接続が使用されてもよい。
【００１５】
音量制御装置10はオーディオ装置12の出力量を制御する通常の方法で動作する音量調節ノブ18を有する。これは増幅器（図示せず）を有するか有しないスピーカ装置（図示せず）に接続されている。任意のこのような増幅器は好ましくは適切な無線接続またはケーブル20による組込み増幅器である。
【００１６】
音量制御装置10はまたオーディオ装置12が実質上凹部22を満たすようにオーディオ装置12を受けるような寸法および形状にされることが好ましいが、任意の方向で凹部22を超えた長さではないことが好ましい形状の凹部22を有するリセプタを有する。留め具またはカバー24が設けられ、これは留め具24が凹部22にオーディオ装置12を取外し可能に固定して保持するように音量制御装置10に蝶番で取付けられている。これは特に音量制御装置10がユーザにより動作されることを意図されるときポート14／コネクタ16上の不必要な応力を防止する。また、ユーザによる動作中に、ユーザの手がコネクタ16を部分的または完全にポート14から遮断させる可能性がある。留め具24はこれを防止することを容易にする。
【００１７】
図２では、本発明の異なる特徴が示されている。サブウーハ装置または衛星スピーカシステムであってもよいスピーカ装置210 が示されている。スピーカ装置210 は音量制御機能を有し、増幅器（図示せず）を有していてもよく、有していなくてもよい。このような任意の増幅器は好ましくは組込み増幅器である。他のスピーカはスピーカ210 から駆動されてもよい。オーディオ装置212 はスピーカ装置210 上のリセプタに機能的に、取外し可能に取付けられることができる。スピーカ装置210 に組込まれているＵＳＢポート214 はオーディオ装置212 およびオーディオ装置212 のＵＳＢコネクタ216 上のリセプタとして作用する。しかしながら所望または必要ならば例えばＩＥＥＥ１３９４等の任意の他の形態の接続が使用されてもよい。
【００１８】
スピーカ装置210 はその出力音量を制御するために通常の方法で動作する音量調節ノブ218 を有する。スピーカ装置210 はまた凹部222 を有し、これはオーディオ装置212 が凹部222 の空間を実質上満たすようにオーディオ装置212 を受けるような寸法および形状にされることが好ましいが、任意の方向で凹部222 を超過または超えた長さにならないことが好ましい。留め具またはカバー（図示せず）が設けられ、これは凹部222 にオーディオ装置212 を取外し可能に固定して保持するためスピーカ装置210 へ蝶番で取付けられている。これはポート214 ／コネクタ216 上の不必要な応力を防止する。
【００１９】
図３は図１と図２の一方または両者の特徴と共に使用する第１の実施形態を示している。ここでオーディオ装置112 は例えばＭＰ３プレーヤ等のオーディオプレーヤである。図示されているのは音量制御装置10であるが、これはスピーカ装置210 であってもよい。装置10はノブ18により動作される主要な音量制御装置26を有する。制御装置26は入力ケーブル28によりポート14へ動作的に接続され、オーディオ信号をスピーカ装置（図示せず）に供給するための出力ケーブル30を有する。スピーカ装置からの電力供給ケーブル32はコネクタ116 がポート14と結合されるときパワーを装置112 へ与えるためにポート14に接続されている。これは装置112 の任意の独立した電源で不必要なドレインを防止する。接続されるとき、コネクタ116 からのパワーケーブル134 は装置112 を動作するために電力を装置112 へ供給する。オーディオ装置112 はケーブル152 を介してオーディオ信号をコネクタ116 へ供給するためにケーブル150 により出力信号をオーディオ装置の制御装置138 へ供給する不揮発性メモリ136 を有する。オーディオはその後、スピーカ装置で再生されることができる。
【００２０】
図４は、図１および図２の一方または両者の特徴を使用する第２の実施形態を示している。ここでオーディオ装置212 は例えばＡＭ／ＦＭチューナのようなオーディオチューナである。図示されているのは音量制御装置10であるが、これはスピーカ装置210 であってもよい。装置10はノブ18により動作される主要な音量制御装置26を有する。制御装置26は入力ケーブル28によりポート14へ動作的に接続され、オーディオ信号をスピーカ装置（図示せず）に供給するための出力ケーブル30を有する。スピーカ装置からの電力供給ケーブル32はコネクタ216 がポート214 と結合されるときパワーを装置212 へ与えるためにポート14に接続されている。これは装置212 の任意の独立した電源で不必要なドレインを防止する。接続されるとき、コネクタ216 からのパワーケーブル234 は装置212 を動作するため電力を装置212 へ供給する。オーディオ装置212 はケーブル252 によりオーディオ信号をコネクタ216 へ供給するためのＡＭ／ＦＭチューナ240 を有する。オーディオはその後、スピーカ装置で再生されることができる。ケーブル20のスリーブ42はＡＭ／ＦＭチューナ240 用のアンテナとして使用されてもよく、スリーブ42はポート14に接続され、コネクタ216 はアンテナ信号をＡＭ／ＦＭチューナ240 へ接続するためのアンテナケーブル244 を有する。
【００２１】
図５は図１と図２の一方または両者の特徴を使用する第３の実施形態を示している。ここでオーディオ装置312 は無線信号をヘッドホン（またはそれに等価な装置）へ供給するための無線ヘッドホン送信機モジュールである。図示されているのは音量制御装置10であるが、これはスピーカ装置210 であってもよい。装置10はノブ18により動作される主要な音量制御装置26を有する。制御装置26は入力ケーブル28によりポート14へ動作的に接続され、オーディオ信号をスピーカ装置（図示せず）に供給するための出力ケーブル30を有する。スピーカ装置からの電力供給ケーブル32はコネクタ316 がポート14と結合されるときパワーを装置312 へ与えるためにポート14に接続されている。これは装置312 に対して任意の独立した電源で不必要なドレインを防止する。接続されるとき、コネクタ316 からのパワーケーブル334 は装置312 を動作するために電力を装置312 へ供給する。オーディオ装置312 は無線送信機348 がオーディオ信号をヘッドホン346 へ供給することを可能にするためにケーブル352 によりコネクタ316 からオーディオ入力信号を受信するための無線送信機348 を有する。オーディオはその後、ヘッドホン346 を使用して再生されることができる。
【００２２】
図６は無線送信機448 からの出力がスピーカ装置（図示せず）へ送信される点を除いて図５の実施形態と全ての面で同一の第４の実施形態を示している。
【００２３】
図７はオーディオ信号をスピーカ装置（図示せず）へ供給するために（図６の送信機のような）無線送信機からの信号を受信するために無線受信機554 が設けられている点を除いて図５および図６の実施形態と全ての面で同一の第５の実施形態を示している。
【００２４】
図８は制御信号をスピーカ装置（図示せず）の音量制御装置626 と他の機能（例えばＯＮ／ＯＦＦ、高音域、低音域、バランス等）へ供給するために無線送信機656 から制御を受信するための無線受信機654 点を除いて図７の実施形態と全ての面で同一の第６の実施形態を示している。これはスピーカ装置が容易に無線動作に変換されることを可能にする。
【００２５】
本発明の好ましい実施形態および特徴を前述のとおり説明したが、設計または構造の詳細についての多数の変形が本発明の技術的範囲を逸脱せずに行われることが当業者により理解されるであろう。
【００２６】
本発明は個々および全ての可能な交換および組合わせの両者で説明された全ての特徴までの範囲である。
【図面の簡単な説明】
【００２７】
【図１】本発明の第１の特徴とする構成の正面斜視図。
【図２】本発明の第２の特徴とする構成の正面斜視図。
【図３】第１の特徴と第２の特徴の一方または両者を使用する本発明の第１の実施形態を示した概略図。
【図４】第１の特徴と第２の特徴の一方または両者を使用する本発明の第２の実施形態を示した概略図。
【図５】第１の特徴と第２の特徴の一方または両者を使用する本発明の第３の実施形態を示した概略図。
【図６】第１の特徴と第２の特徴の一方または両者を使用する本発明の第４の実施形態を示した概略図。
【図７】第１の特徴と第２の特徴の一方または両者を使用する本発明の第５の実施形態を示した概略図。
【図８】第１の特徴と第２の特徴の一方または両者を使用する本発明の第６の実施形態を示した概略図。
【図１】
2004166272.tif 000003
【図２】
2004166272.tif 000004
【図３】
2004166272.tif 000005
【図４】
2004166272.tif 000006
【図５】
2004166272.tif 000007
【図６】
2004166272.tif 000008
【図７】
2004166272.tif 000009
【図８】
2004166272.tif 000010